(57)【要約】      （修正有）【課題】ダンボールのような比較的厚手の丈夫な紙を使用し、その紙をブックカバーとする折り曲げ部の位置に表紙及び裏紙を残して予め複数箇所にＶカット溝を形成することで丈夫な表紙及び裏紙を連続した状態で複数箇所の折り曲げ部を得ることができ、当該部分からの切断や破損の少ない厚さの異なる本に対応できるブックカバーを提供する。【解決手段】厚手の表紙及び裏紙の丈夫な紙を切断して横長の矩形状の紙片とし、縦方向の複数箇所にＶカット溝９ａ〜９ｅ、１０ａ、１０ｂ、１１ａ、１１ｂを設けることで複数の折り曲げ部を形成し、折り曲げ部により表表紙カバー部３、背表紙カバー部、裏表紙カバー部６並びに表表紙カバー部３に連続した表表紙挟持部５及び裏表紙カバー部６に連続した裏表紙挟持部８とを形成する。複数のＶカット溝は、表表紙カバー部３と表表紙挟持部５との境界位置、背表紙カバー部の裏側、裏表紙カバー部６と裏表紙挟持部８との境界位置に形成する。【選択図】図４
0003197624.tif 000002
【実用新案登録請求の範囲】
【請求項１】
厚手の表紙及び裏紙の丈夫な紙を切断して横長の矩形状の紙片とし、縦方向の複数箇所にＶカット溝を設けることで複数の折り曲げ部を形成し、該折り曲げ部により表表紙カバー部、背表紙カバー部、裏表紙カバー部並びに該表表紙カバー部に連続した表表紙挟持部及び該裏表紙カバー部に連続した裏表紙挟持部とを形成するブックカバーにおいて、上記複数のＶカット溝は、該表表紙カバー部と該表表紙挟持部との境界位置、該背表紙カバー部の裏側、該裏表紙カバー部と該裏表紙挟持部との境界位置に形成したことを特徴とするブックカバー。
【請求項２】
複数箇所のＶカット溝は、該Ｖカット溝の底側を連続した表紙及び裏紙とし、該Ｖカット溝は溝底を頂点として開口部側に向けて左右に漸次広がるテーパー壁面をなす溝とし、該頂点での左右のテーパー壁面のなす角度を約９０度としたことを特徴とする請求項１記載のブックカバー。
【請求項３】
複数箇所のＶカット溝は、それぞれの折り曲げ部における溝間隔を等間隔で設けたことを特徴とする請求項１又は２記載のブックカバー。
【請求項４】
複数箇所のＶカット溝は、表表紙カバー部と表表紙挟持部との間の折り曲げ部及び裏表紙カバー部と裏表紙挟持部との間の折り曲げ部において数箇所、背表紙カバー部において５乃至９箇所に等間隔をもって設けたことを特徴とする請求項１乃至３のいずれか記載のブックカバー。
【請求項５】
複数箇所のＶカット溝は、表表紙カバー部、表表紙カバー部と表表紙挟持部との間の折り曲げ部、裏表紙カバー部、裏表紙カバー部と裏表紙挟持部との間の折り曲げ部及び背表紙カバー部に等間隔をもって裏面全面に設けたことを特徴とする請求項１乃至3のいずれか記載のブックカバー。
【請求項６】
複数箇所のＶカット溝は、カバーする本の厚さに応じて折り曲げ部の位置として適宜選択できることを特徴とする請求項１乃至５のいずれか記載のブックカバー。
【考案の詳細な説明】
【技術分野】
【０００１】
本考案は、ダンボールのような厚手の紙を矩形状に切断し、その複数箇所に折り曲げ部としてＶカット溝を設け、該Ｖカット溝を選択して折り曲げすることで厚さの異なる本を被覆することができるブックカバーを提供するものである。
【背景技術】
【０００２】
従来より使用されているブックカバーは、一枚の薄い紙を適宜の本の大きさに合わせ、平面状のものをその都度所定箇所で切断して折り曲げ、表表紙、背表紙、裏表紙及び折り返し部を形成していた。
【０００３】
また、下記特許文献１のように、予め所定の大きさに形成したブックカバーは、厚さの異なる本に対応するために本の表側カバーと裏側カバーとを別体で形成し、それぞれを本に被せた後、両カバーの重複部分を接着してブックカバーとしての機能をなすもので、その重複部分の接着位置を変えることで異なる厚みの本に適用できるようにしたものである。
【０００４】
また、下記特許文献２のように、本体シートの表表紙又は裏表紙のいずれか一方側に表紙差込用ポケット部を設け、他方側にはその反対側の表紙を挿通させる表紙挿通用帯部を設け、その表紙の端部には表紙の裏側へ折り曲げて該表紙挿通用帯部に差し込み係止する折り曲げ用余剰部を設けたブックカバーで、該ブックカバーは、異なる厚みの本に対応できるようにするため、該折り曲げ用余剰部に肉厚を他より薄くして折り曲げ易くした複数本の薄肉線を予め設けたものである。
【０００５】
上記前者にあっては、本にブックカバーを装着する際に、表側カバーと裏側カバーの重複部分を連結しなければならず、そのための接着作業が必要となり、その作業の煩雑さと一旦接着してしまうと他の厚さの異なる本に利用するにはその接着を解除して再び他の箇所で接着する必要があり、反復使用には向かなかった。
【０００６】
また、後者にあっては、折り曲げ易くするための薄肉線を予め形成しておくためには押圧等の手段により行う必要があり、本体シートの材質をプラスチック製に限定しなければならず、紙製のものに予め薄肉線を形成することは困難であり、本体シートを安価な紙製とすることができず、更に、プラスチック製の該薄肉部分は切断或いは破損するおそれがあった。
【先行技術文献】
【特許文献】
【０００７】
【特許文献１】実開平６−７９５６６号公報
【特許文献２】特開２００３−７２２６１号公報
【考案の開示】
【考案が解決しようとする課題】
【０００８】
本考案は、上記欠点を解決したもので、ダンボールのような比較的厚手の表紙及び裏紙の丈夫な紙を使用し、その紙をブックカバーとする折り曲げ部の位置に表紙及び裏紙を残して予め複数箇所にＶカット溝を形成することで丈夫な表紙及び裏紙を連続した状態で複数箇所の折り曲げ部を得ることができ、当該部分からの切断や破損の少ない厚さの異なる本に対応できるブックカバーを提供するものである。
【課題を解決するための手段】
【０００９】
本考案は、厚手の表紙及び裏紙の丈夫な紙を切断して横長の矩形状の紙片とし、縦方向の複数箇所にＶカット溝を設けることで複数の折り曲げ部を形成し、該折り曲げ部により表表紙カバー部、背表紙カバー部、裏表紙カバー部並びに該表表紙カバー部に連続した表表紙挟持部及び該裏表紙カバー部に連続した裏表紙挟持部とを形成するブックカバーにおいて、上記複数のＶカット溝は、該表表紙カバー部と該表表紙挟持部との境界位置、該背表紙カバー部の裏側、該裏表紙カバー部と該裏表紙挟持部との境界位置に形成したブックカバーを特徴とする。
【００１０】
また、上記複数箇所のＶカット溝は、該Ｖカット溝の底側を連続した表紙及び裏紙とし、該Ｖカット溝は溝底を頂点として開口部側に向けて左右に漸次広がるテーパー壁面をなす溝とし、該頂点での左右のテーパー壁面のなす角度を約９０度としたブックカバーを特徴とする。
【００１１】
更に、上記複数箇所のＶカット溝は、それぞれの折り曲げ部における溝間隔を等間隔で設けたブックカバーを特徴とする。
【００１２】
また、上記複数箇所のＶカット溝は、表表紙カバー部と表表紙挟持部との間の折り曲げ部及び裏表紙カバー部と裏表紙挟持部との間の折り曲げ部において数箇所、背表紙カバー部において５乃至９箇所に等間隔をもって設けたブックカバーを特徴とする。
【００１３】
更に、上記複数箇所のＶカット溝は、表表紙カバー部、表表紙カバー部と表表紙挟持部との間の折り曲げ部、裏表紙カバー部、裏表紙カバー部と裏表紙挟持部との間の折り曲げ部及び背表紙カバー部に等間隔をもって裏面全面に設けたブックカバーを特徴とする。
【００１４】
また、上記複数箇所のＶカット溝は、カバーする本の厚さに応じて折り曲げ部の位置として適宜選択できるブックカバーを特徴とする。
【考案の効果】
【００１５】
本考案は、厚手の丈夫な紙を使用することで本を傷めることなく被覆することができ、丈夫な紙なので反復使用に良好なブックカバーを得ることができる。また、予め所定箇所に形成した複数箇所のＶカット溝の中から本の厚さに応じて折り曲げ位置を適宜選択することで、様々な厚さの本に対応できるブックカバーを得ることが可能となった。
【図面の簡単な説明】
【００１６】
【図１】本考案のブックカバーの裏側展開平面図。
【図２】本考案のブックカバーの表側展開平面図。
【図３】本考案のブックカバーの正面図。
【図４】本考案のブックカバーを厚手の本に使用した場合の断面図。
【図５】本考案のブックカバーを薄手の本に使用した場合の断面図。
【図６】本考案のブックカバーを本に装着した状態の一例を示す斜視図。
【図７】（ａ）本考案のブックカバーの他の実施例の裏側展開平面図、（ｂ）本考案のブックカバーの他の実施例の正面図。
【考案を実施するための形態】
【００１７】
以下、図面を参考に本考案を実施するための最良の形態についてその実施例に基づいて説明する。
【実施例１】
【００１８】
図１は、本考案のブックカバー１の裏側を示す展開平面図で、該ブックカバー１は、ダンボールのような２ｍｍ前後の厚手でその表紙及び裏紙が丈夫な紙よりなるもので、本の表紙全体を被覆して係止できる大きさに合わせて矩形状に切断したものである。例えば、文庫本の大きさのものを対象とする場合は縦方向の寸法を約１５０ｍｍ、横方向の寸法を約４００ｍｍとする。
【００１９】
上記によって外形形状を定めたブックカバー１は、その中央部に所定幅寸法のある背表紙カバー部２を形成し、その左側に本の表表紙全体を被覆する表表紙カバー部３、該表表紙カバー部３に連続して所定幅寸法のある表表紙側折り返し部４、該表表紙側折り返し部４に連続して本の表表紙内側に折り返して該表表紙を挟み込む表表紙挟持部５を形成し、更に、背表紙カバー部２の右側に本の裏表紙全体を被覆する裏表紙カバー部６、該裏表紙カバー部６に連続して所定幅寸法のある裏表紙側折り返し部７、該裏表紙側折り返し部７に連続して本の裏表紙内側に折り返して該裏表紙を挟み込む裏表紙挟持部８とより形成している。
【００２０】
該背表紙カバー部２の裏側には、本の様々な厚さに対応して背表紙カバー部２の幅寸法を変えることができる背表紙Ｖカット溝９を縦方向複数箇所に形成している。中心位置となる第１背表紙Ｖカット溝９ａの表表紙カバー部３側には第２背表紙Ｖカット溝９ｂ、その左側の第３背表紙Ｖカット溝９ｃを各々縦方向平行に等間隔で設けている。
【００２１】
他方、第１背表紙Ｖカット溝９ａの裏表紙カバー部６側には第４背表紙Ｖカット溝９ｄ及びその右側の第５背表紙Ｖカット溝９ｅを各々縦方向平行に等間隔で設けている。
【００２２】
厚手の本の場合は、第１背表紙Ｖカット溝９ａを中心位置として第２背表紙Ｖカット溝９ｂ、第３背表紙Ｖカット溝９及び第４背表紙Ｖカット溝９ｄ、第５背表紙Ｖカット溝９ｅの各々の折り曲げ角度を小さく折り曲げることにより厚さのある本の背表紙側のカバーをすることができる。薄手の本の場合は、第１背表紙Ｖカット溝９ａを中心位置として第２背表紙Ｖカット溝９ｂと第４背表紙Ｖカット溝９ｄの各々の折り曲げ角度を大きく折り曲げることにより薄い本の背表紙側のカバーをすることができる。
【００２３】
該表表紙カバー部３側の表表紙側折り返し部４には、図２に示すように、その表側に縦方向の表表紙側折り返しＶカット溝１０を複数箇所に設け、該表表紙カバー部３に連続した第１表表紙側折り返しＶカット溝１０ａ、その外側の表表紙挟持部５側に第２表表紙側折り返しＶカット溝１０ｂを各々縦方向平行に等間隔で設けている。
【００２４】
他方、該裏表紙カバー部６側の裏表紙側折り返し部７には、その裏側に縦方向の裏表紙側折り返しＶカット溝１１を複数箇所に設け、該裏表紙カバー部６に連続した第１裏表紙側折り返しＶカット溝１１ａ、その外側の裏表紙挟持部８側に第２裏表紙側折り返しＶカット溝１１ｂを各々縦方向平行に等間隔で設けている。
【００２５】
図３は、該ブックカバー１の正面図を示すもので、背表紙カバー部２では表側にＶカット溝９ａ乃至９ｅを形成し、折り返し部４、７では裏側にＶカット溝１０ａ、１０ｂ、１１ａ、１１ｂを形成し、各々はそのＶカット溝の溝底側の表紙及び裏紙を残すように溝を形成し、該Ｖカット溝は該溝底を頂点として開口部側に向けて左右に漸次広がるテーパー壁面をなす溝とし、該頂点での左右のテーパー壁面のなす角度を約９０度とし、連続した紙片のブックカバー１を形成している。
【００２６】
図４は、厚手の本Ｂ１に対してブックカバー１を被覆した状態を示す一実施例の断面図で、背表紙カバー部２の中心部の第１Ｖカット溝９ａを本Ｂ１の背表紙の中心位置で該第１Ｖカット溝９ａの拡開部が狭まるように山折りして本Ｂ１の背表紙側となる裏側へ折り曲げ、その外側の第２Ｖカット溝９ｂで該第２Ｖカット溝９ｂの拡開部が狭まるように山折りして裏側へ折り曲げ、更に、その外側の第３Ｖカット溝９ｃで該第３Ｖカット溝９ｃの拡開部が狭まるように山折りして裏側へ折り曲げることで本Ｂ１の背表紙側を被覆することになる。本Ｂ１の表表紙カバー部３側の隅部は、該本Ｂ１の厚さに応じて該第２Ｖカット溝９ｂと該第３Ｖカット溝９ｃとの間で当接することになる。
【００２７】
該表表紙カバー部３で本Ｂ１の表表紙側全体を覆うと、表表紙側折り返し部４側の第１表表紙側折り返しＶカット溝１０ａは本Ｂ１の表表紙の先端部又はその近接部に位置し、該第１表表紙側折り返しＶカット溝１０ａのＶカット溝の拡開部を広げるように折り曲げることにより、本Ｂ１の表表紙の内側方向へ折り曲げ、更に、第２表表紙側折り返しＶカット溝１０ｂを本Ｂ１の表表紙の内側方向へ折り返すようにしてＶカット溝を大きく拡開して折り曲げ、該表表紙の内側へ表表紙挟持部５を挿入することになる。
【００２８】
他方、本Ｂ１の中心位置で折り曲げた背表紙カバー部２の第１Ｖカット溝９ａの裏表紙カバー部６側の第４Ｖカット溝９ｄを、該第４Ｖカット溝９ｄの拡開部が狭まるように本の背表紙側となる裏側へ折り曲げ、更に、その外側の第５Ｖカット溝９ｅを該第５Ｖカット溝９ｅの拡開部が狭まるようにして裏側へ折り曲げることになる。本Ｂ１の裏表紙カバー部６側の隅部は、その本Ｂ１の厚さに応じて該第４Ｖカット溝９ｄと該第５Ｖカット溝９ｅとの間で当接することになる。
【００２９】
該裏表紙カバー部６で本Ｂ１の裏表紙側全体を覆うと、裏表紙側折り返し部７側の第１裏表紙側折り返しＶカット溝１１ａは本Ｂ１の裏表紙の先端部又はその近接部に位置し、該第１裏表紙側折り返しＶカット溝１１ａのＶカット溝の拡開部を広げるように折り曲げることにより、本Ｂ１の裏表紙の内側方向へ折り曲げ、更に、第２裏表紙側折り返しＶカット溝１１ｂを本Ｂ１の裏表紙の内側方向へ折り返すようにしてＶカット溝を大きく拡開して折り曲げ、該裏表紙の内側へ裏表紙挟持部８を挿入することになる。
【００３０】
図５は、薄手の本Ｂ２に対してブックカバー１を被覆した状態を示す一実施例の断面図で、背表紙カバー部２の中心部の第１Ｖカット溝９ａを本Ｂ２の背表紙の中心位置で、該第１Ｖカット溝９ａの拡開部が狭まるように山折りして本Ｂ２の背表紙側となる裏側へ折り曲げ、その外側の第２Ｖカット溝９ｂで該第２Ｖカット溝９ｂの拡開部が狭まるように山折りして裏側へ折り曲げ、更に、その外側の第３Ｖカット溝９ｃで該第３Ｖカット溝９ｃの拡開部が広がるように表側へ折り曲げる。これにより該第１Ｖカット溝９ａとその外側の第２Ｖカット溝９ｂとの間で本Ｂ２の表表紙側の隅部に当接することになる。表表紙カバー部３で本Ｂ２の表表紙側全体を覆うと、表表紙側折り返し部４側の第１表表紙側折り返しＶカット溝１０ａのＶカット溝の拡開部が大きく広がるようにして裏側へ折り返すように折り曲げることになる。
【００３１】
更に、第２表表紙側折り返しＶカット溝１０ｂのＶカット溝を広げることで該折り返し部４の表表紙カバー部３側の表紙挟持部５を本Ｂ２の表表紙の内側へ回し込むことができる。
【００３２】
他方、本Ｂ２の中心位置で折り曲げられた背表紙カバー部２の第１Ｖカット溝９ａの裏表紙カバー部６側の第４Ｖカット溝９ｄを、そのＶカット溝が狭まるようにして裏面側へ折り曲げ、更に、その外側の第５Ｖカット溝９ｅでＶカット溝の拡開部が広がるようにして折り曲げることになる。
【００３３】
該裏表紙カバー部６で本Ｂ２の裏表紙側全体を覆うと、裏表紙側折り返し部７の第１裏表紙側折り返しＶカット溝１１ａは、Ｖカット溝の拡開部が大きく広がるようにして裏側へ折り返すように折り曲げることになる。
【００３４】
更に、第２裏表紙側折り返しＶカット溝１１ｂのＶカット溝を広げることで該裏表紙側折り返し部７の裏表紙カバー部６側の裏表紙挟持部８を本Ｂ２の裏表紙の内側へ回し込むことができる。
【００３５】
図６は、比較的厚手の本に本考案の実施例１のブックカバー１を被覆した状態を示す斜視図である。本の表表紙、背表紙及び裏表紙を厚手の紙により被覆できるので本を傷めることがない。また、適宜な位置のＶカット溝を自由に狭めたり拡開することができるので異なった厚さの本に一個のブックカバー１で対応することが可能となった。
【実施例２】
【００３６】
上記実施例１では、背表紙カバー部における背表紙Ｖカット溝を５箇所、表表紙側折り返し部及び裏表紙側折り返し部における表表紙側折り返しＶカット溝及び裏表紙側折り返しＶカット溝を各々２箇所設けたが、Ｖカット溝は前者にあっては６乃至９箇所、後者にあっては３、４箇所形成し、様々な本の厚さに適合可能なように対応しておくことができ、Ｖカット溝を予め形成しておく箇所は適宜選択できるものである。
【００３７】
実施例１では、Ｖカット溝間の間隔を約１０ｍｍとしているが、実施例２では、その間隔を狭くすることで本に装着した状態において背表紙側及び表・裏表紙の折り返し部側での折り曲げ部に丸みを出すことができる。
【実施例３】
【００３８】
図７（ａ）、（ｂ）は、厚手の丈夫な紙をブックカバー１２とし、その裏側全面にわたって縦方向等間隔で裏面Ｖカット溝１３を設けた実施例である。該裏面Ｖカット溝１３の溝形状は、上記実施例と同様、約１０ｍｍ或いはそれより狭い等間隔で形成している。裏面側全面に裏面Ｖカット溝１３を設けることで厚さの異なる本の表紙カバーの所定の位置での折り曲げ対応を速やかに行うことができるものである。
【００３９】
裏側全面に裏面Ｖカット溝１３が形成されることになるので、ブックカバー１２における折り曲げ部の標準的な位置を示すために、該ブックカバー１２の中心部１４及び表・裏表紙の標準的折り返し部１５、１６に位置表示のための目印や色彩を施しておくと便利である。
【００４０】
また、本への装着後には表紙カバーの裏面全面にわたって裏面Ｖカット溝１３が小間隔で位置することになるので、該裏面Ｖカット溝１３によって形成される凹凸がクッションの役割を成し、触れたときの感触が良く、手になじむことができる。更に、緩衝作用を達成でき、本を傷めることが少なくなった。
【符号の説明】
【００４１】
１、１２      ブックカバー
２            背表紙カバー部
３            表表紙カバー部
４            表表紙側折り返し部
５            表表紙挟持部
６            裏表紙カバー部
７            裏表紙側折り返し部
８            裏表紙挟持部
９            背表紙Ｖカット溝
１０          表表紙側折り返しＶカット溝
１１          裏表紙側折り返しＶカット溝
１３          裏面Ｖカット溝
１４          中心部
１５、１６    表・裏表紙の標準的折り返し部
【図１】
0003197624.tif 000003
【図２】
0003197624.tif 000004
【図３】
0003197624.tif 000005
【図４】
0003197624.tif 000006
【図５】
0003197624.tif 000007
【図７】
0003197624.tif 000008
【図６】
0003197624.tif 000009